(57)【特許請求の範囲】
【請求項１】
光軸と交わる面内で移動可能に支持され、ブレ補正光学系を保持するブレ補正光学系保持部と、
前記ブレ補正光学系を含む光学系を通過する像光の光量を調整する絞り羽根を有する絞り部と、
前記絞り部を駆動する駆動部と、
前記絞り部の前記絞り羽根を開放した状態に維持したまま、前記駆動部が発生する駆動力によって前記ブレ補正光学系保持部に対して相対移動することにより、前記ブレ補正光学系保持部の前記光軸と交わる面内の移動を許容する解除位置と前記ブレ補正光学系保持部の一部と係合して前記ブレ補正光学系の前記光軸と交わる面内における移動を制限するロック位置との双方へ移行可能な移動制限部と
を備えるレンズ鏡筒。
【請求項２】
請求項１に記載のレンズ鏡筒において、
前記駆動部が発生する駆動力を、前記光軸回りに回転することによって前記絞り部に伝達する駆動力伝達部を備え、
前記移動制限部は、前記駆動力伝達部と一体に形成されること
を特徴とするレンズ鏡筒。
【請求項３】
請求項１又は請求項２に記載のレンズ鏡筒を備えることを特徴とするカメラ。
【発明の詳細な説明】
【技術分野】
【０００１】
本発明は、ブレ補正装置を備えたレンズ鏡筒及びカメラに関するものである。
【背景技術】
【０００２】
レンズシフト式のブレ補正装置は、光軸と交わる面内で移動可能に支持されたブレ補正レンズ群を、装置のブレに応じてシフトさせることによって被写体像における像ブレを低減するものである。
このようなブレ補正装置は、ブレ補正制御を行わない場合であっても、ブレ補正レンズ群の自重による変位を防止するため、そのセンタリングを行うことが必要となる。
【０００３】
従来、ブレ補正装置は、ブレ補正制御を行わない場合であってもブレ補正レンズを駆動するアクチュエータに通電し、その出力によってセンタリングを行うものが知られている。しかし、この場合、ブレ補正制御を行わないにも関わらず電力が消費されて省電力性が損なわれ、装置のバッテリ駆動時間が短くなってしまう。
これに対し、ブレ補正装置は、ブレ補正レンズ群の保持部にロック用の部材を設けて、これをアクチュエータで駆動することによって、ブレ補正レンズ群がセンター位置に拘束された状態と、シフト変位が可能な状態とを切換可能としたものが知られている（例えば、特許文献１参照）。
【特許文献１】特開平９−４３６６１号公報
【発明の開示】
【発明が解決しようとする課題】
【０００４】
しかし、ブレ補正装置は、アクチュエータでロック部材を駆動する場合、構造が複雑化するとともに、部品点数が増加してコストが増加してしまう。
本発明の目的は、簡単な構造によってブレ補正光学系の移動を制限するレンズ鏡筒及びカメラを提供することである。
【課題を解決するための手段】
【０００５】
本発明は、以下のような解決手段により、前記課題を解決する。
請求項１の発明は、光軸と交わる面内で移動可能に支持され、ブレ補正光学系を保持するブレ補正光学系保持部と、前記ブレ補正光学系を含む光学系を通過する像光の光量を調整する絞り羽根を有する絞り部と、前記絞り部を駆動する駆動部と、前記絞り部の前記絞り羽根を開放した状態に維持したまま、前記駆動部が発生する駆動力によって前記ブレ補正光学系保持部に対して相対移動することにより、前記ブレ補正光学系保持部の前記光軸と交わる面内の移動を許容する解除位置と前記ブレ補正光学系保持部の一部と係合して前記ブレ補正光学系の前記光軸と交わる面内における移動を制限するロック位置との双方へ移行可能な移動制限部とを備えるレンズ鏡筒である。
【０００６】
請求項２の発明は、請求項１に記載のレンズ鏡筒において、前記駆動部が発生する駆動力を、前記光軸回りに回転することによって前記絞り部に伝達する駆動力伝達部を備え、前記移動制限部は、前記駆動力伝達部と一体に形成されることを特徴とするレンズ鏡筒である。
請求項３の発明は、請求項１又は請求項２に記載のレンズ鏡筒を備えることを特徴とするカメラである。
【発明の効果】
【０００７】
本発明によれば、ブレ補正光学系保持部の移動を制限する移動制限部を、像光調整部を駆動する駆動部によって駆動しているから、専用の駆動部を設ける必要がない。
【発明を実施するための最良の形態】
【０００８】
本実施形態の装置は、簡単な構造によってブレ補正光学系の移動を制限したレンズ鏡筒等を提供するという目的を、絞り駆動リングの内周縁部に、振動枠の外径側に形成された制限突起と係合する制限爪を形成し、絞り駆動リングの回転によって振動枠をセンタリング状態に保持するロック状態と、振動枠のシフト変位を許容する解除状態とを切換えることによって実現した。
【実施例】
【０００９】
本発明を適用したレンズ鏡筒及びカメラの実施例について以下説明する。
図１は、本実施例のレンズ鏡筒の断面図である。
図２は、図１のレンズ鏡筒を含むカメラの構成を示すブロック図である。
レンズ鏡筒は、第１レンズ群Ｌ１、第２レンズ群Ｌ２、第３レンズ群Ｌ３、ＣＣＤ１、ローパスフィルタ２、第１レンズ群室３、第３レンズ群室４、振動枠５、固定枠６、ボイスコイルモータ７、位置検出器８、シャッタ絞りユニット９、シャッタ１０、絞り１１、絞り駆動リング１２、鏡胴１３を備えている。
【００１０】
第１レンズ群Ｌ１、第２レンズ群Ｌ２、第３レンズ群Ｌ３は、協働して撮影用レンズ群を構成するものである。第１レンズ群Ｌ１、第２レンズ群Ｌ２、第３レンズ群Ｌ３は、光軸Ａ方向に沿ってこの順序で配列されている。また、第１レンズ群Ｌ１、第２レンズ群Ｌ２、第３レンズ群Ｌ３は、焦点距離を変更するズーミング時、及び、撮影距離（被写体距離）を変更するフォーカシング時に、光軸Ａ方向に近接又は離間する方向に相対移動する。
また、第２レンズ群Ｌ２は、光軸Ａと直交する面内においてシフト変位することによって被写体像の像ブレを低減するブレ補正レンズ群となっている。
【００１１】
ＣＣＤ１は、撮影用レンズ群が結像した被写体像を取得し、電気的な信号として出力する固体撮像素子である。
ローパスフィルタ（ＬＰＦ）２は、ＣＣＤ１の撮像面の前面側（対物側）に設けられている。ＬＰＦ２は、撮像される画像上におけるモアレの発生を防止するものである。
【００１２】
第１レンズ群室３及び第３レンズ群室４は、第１レンズ群Ｌ１及び第３レンズ群Ｌ３がそれぞれその内径側に収容される枠体である。第１レンズ群室３、第３レンズ群室４は、ズーミング時等に、鏡胴１３に対してそれぞれ光軸方向に移動する。
【００１３】
振動枠５は、その内径側に第２レンズ群Ｌ２が収容される枠体である。振動枠５は、光軸Ａに対して直交する面内において、鏡胴１３に対してシフト変位可能に支持されている。
振動枠５は、例えば樹脂系材料のインジェクション成形によって形成された円筒部５ａ、フランジ部５ｂ、制限突起５ｃを備えている。
円筒部５ａは、その中心軸が光軸Ａと平行に配置され、その内径側に第２レンズ群Ｌ２が収容される部分である。
フランジ部５ｂは、円筒部５ａの外周面であって光軸Ａ方向における中央部からその外径側につば状に張り出したリングプレート状の部分である。
制限突起５ｃは、円筒部５ａの対物側の端部における外周面からその外径側に突き出して形成され、円筒部５ａの周回りにおいて、略等間隔に離間して、本実施例の場合には例えば４つ設けられている。制限突起５ｃの光軸Ａに対する外径側の端面において、その振動枠５の周方向における両端部の端縁は、面取り処理が施される。
【００１４】
固定枠６は、振動枠５を光軸Ａと直交する面内で移動可能に支持するものである。固定枠６は、光軸Ａと直交する面内において拘束されるとともに、光軸Ａ方向には鏡胴１３に対して移動可能に支持されている。
ボイスコイルモータ（ＶＣＭ）７は、振動枠５を固定枠６に対して光軸Ａと直交する面内において駆動するアクチュエータである。ＶＣＭ７は、振動枠５のフランジ部５ｂに固定されたコイルと、固定枠６にコイルと対向した状態で固定されたマグネット及びヨークとを備えている。また、ＶＣＭ７は、図２に示すように、これに駆動電力を供給する駆動回路７ａを備えている。
位置検出器８は、固定枠６に対する振動枠５の位置を検出する位置センサである。位置検出器８は、振動枠５のフランジ部５ｂに固定されたマグネットと、固定枠６にマグネットに対向した状態で配置されたホール素子とを備えている。
【００１５】
シャッタ絞りユニット９は、第１レンズ群Ｌ１と第２レンズ群Ｌ２との間に設けられている。シャッタ絞りユニット９は、シャッタ１０、絞り１１、絞り駆動リング１２を支持するものである。
シャッタ１０は、第１レンズ群Ｌ１から射出された像光を遮断又は通過させて、ＣＣＤ１への露光時間を制御するものである。シャッタ１０は、これを駆動するシャッタ駆動モータ１０ａを備えている。シャッタ駆動モータ１０ａは、シャッタ絞りユニット９の光軸Ａ方向対物側から突き出して配置されている。
さらに、シャッタ駆動モータ１０ａは、図２に示すように、シャッタ駆動回路１０ｂ及びシャッタ駆動機構１０ｃを備えている。
シャッタ駆動回路１０ｂは、シャッタ駆動モータ１０ａに駆動電力を供給するドライバ部を備えている。
シャッタ駆動機構１０ｃは、シャッタ駆動モータ１０ａの出力をシャッタ１０に伝達する動力伝達機構部である。
【００１６】
絞り１１は、シャッタ１０の光軸Ａ方向像側に配置されている。絞り１１は、例えば樹脂製の薄片である絞り羽根を複数枚組み合わせて構成され、第１レンズ群Ｌ１から射出された像光の光量を無段階に調整する虹彩絞りを備えている。これらの絞り羽根は、その一方の端部をシャッタ絞り駆動ユニット９の本体に回転可能に軸支され、後述する絞り駆動リング１２によって、この軸回りの回転力が与えられることによって絞りを開閉するものである。また、絞り１１は、これを駆動する絞り駆動モータ１１ａを備えている。絞り駆動モータ１１ａは、シャッタ絞り駆動ユニット９の光軸Ａ方向対物側から突き出して配置されている。
さらに、絞り駆動モータ１１ａは、図２に示すように、これに駆動電力を供給するドライバ部を含むシャッタ駆動回路１１ｂを備えている。
シャッタ駆動モータ１０ａ及び絞り駆動モータ１１ａは、光軸Ａを挟んだ反対側に配置されている。
【００１７】
絞り駆動リング１２は、絞り駆動モータ１１ａの出力を絞り１１の各絞り羽根に伝達する動力伝達部材である。絞り駆動リング１２は、例えば金属板を打抜加工して形成されている。
図３は、図１のIII−III部矢視断面図であって、振動枠５がセンタリングされた状態に拘束されたロック状態を示す図である。ここで、センタリングとは、第２レンズ群Ｌ２の光軸が他のレンズ群の光軸Ａと略一致した状態とされることを指すものとする。
図４は、図３のIV−IV部矢視断面図である。なお、図４及び後述する図６においては、理解を容易とするため、特徴部分を誇張して図示している。
【００１８】
絞り駆動リング１２は、リングプレート状に形成され、カム部１２ａ、制限爪１２ｂを備えている。カム部１２ａは、絞り羽根に設けられたフォロワピンが案内される長穴状のカムを備えている。カム部１２ａは、絞り駆動リング１２の周方向に分散して複数設けられ、その数は絞り羽根の枚数と同じである。本実施例の場合は、例えば、６つのカム部１２ａが設けられている。カム部１２ａは、絞り可変領域１２ｃ、開放絞り維持領域１２ｄを備えている。
【００１９】
絞り可変領域１２ｃは、この間をフォロワピンが通過することによって絞り１１の開口径及びＦナンバーを変化させる領域である。絞り可変領域１２ｃは、光軸Ａからの距離が連続的に変化する曲線状に形成されている。絞り可変領域１２ｃは、光軸Ａからの距離が最小となる箇所が最小絞り側の端部であり、光軸Ａからの距離が最大となる箇所が最大絞り側の端部となっている。
開放絞り維持領域１２ｄは、この間をフォロワピンが通過する間は、絞り１１は開放状態に維持される領域である。開放絞り領域１２ｄは、光軸Ａを中心とする円弧状に形成されている。また、開放絞り領域は、絞り可変領域１２ｃの絞り開放側の端部と連続して形成されている。
【００２０】
制限爪１２ｂは、絞り駆動リング１２の内周縁部に突き出して打抜かれた突起部を、光軸Ａ方向像側に突き出した状態に折り曲げて形成されている。第２レンズ群Ｌ２がセンタリングされた状態において、制限爪１２ｂは、図３及び図４に示すように、その光軸Ａ側の面部が、振動枠５の制限突起５ｃの外径側の端面と微小な間隔Ｘ１を隔てて対向している。この間隔Ｘ１は、制限爪１２ｂによって振動枠５を拘束し、第２レンズ群Ｌ２を実質的にセンタリングされた状態に維持することを考慮して設定される。
【００２１】
また、絞り駆動リング１２は、光軸Ａ回りに回転することによって、振動枠５のシフト変位を許容する解除状態へ移行する。
図５は、解除状態におけるレンズ鏡筒の断面図であって、上述した図３に相当する断面を示す図である。
図６は、図５のVI−VI部矢視断面図である。
解除状態においては、絞り駆動リング１２の制限爪１２ｂは、振動枠５の制限突起５ｃに対して、光軸Ａ回りにおける角度（位相）がずれた状態となっている。
図７は、絞り駆動リング１２の角度と絞り１１のＦナンバーとの相関を示すグラフである。
このようなロック状態から解除状態への移行は、フォロワピンがカム部１２ａの開放絞り維持領域１２ｄを通過する間に行われ、この間、絞り１１は開放状態に維持される。そして、絞り駆動リング１２がさらに回転し、フォロワピンがカム部１２ａの絞り可変領域１２ｃに入ると、絞り１１は絞り駆動リング１２の回転に応じて開口径が変化する。
【００２２】
図６に示すように、解除状態においては、振動枠５の移動可能な範囲は、シャッタ絞り駆動ユニット９の本体部の内径によって規制される。第２レンズ群Ｌ２がセンタリングされた状態において、振動枠５の制限突起５ｃの突端部とシャッタ絞り駆動ユニット９の内周面部との間の間隔Ｘ２は、上述した間隔Ｘ１よりも大きく設定されている。この間隔Ｘ２は、第２レンズ群Ｌ２のセンター位置からの最大変位量となる。
【００２３】
鏡胴１３は、上述したレンズ鏡筒の各構成要素がその内径側に収容される筒体である。
【００２４】
このカメラはさらに、図２に示すように、レンズ駆動部１４、画像処理回路１５、メモリカードドライブ装置１６、ジャイロセンサ１７、ブレ補正制御部１８、ブレ補正スイッチ１９、レリーズスイッチ２０、電源回路２１、電源スイッチ２２、ズームスイッチ２３、画像表示部２４、ＣＰＵ２５、メインバスＢを備えている。
【００２５】
レンズ駆動部１４は、レンズ群Ｌ１〜Ｌ３を光軸方向に移動させて、レンズ鏡筒の焦点距離を変更するズーミング動作及び沈胴動作を行うものである。
レンズ駆動部１４は、レンズ駆動モータ１４ａ、レンズ駆動機構１４ｂ、レンズ駆動回路１４ｃを備えている。
レンズ駆動モータ１４ａは、各レンズ群を駆動する駆動力を発生するＤＣモータである。
レンズ駆動機構１４ｂは、レンズ駆動モータ１４ａの出力を各レンズ群に伝達する動力伝達機構部である。
レンズ駆動回路１４ｃは、メインバスＢを介してＣＰＵ２５から入力される命令に応じてレンズ駆動モータ１４ａに駆動電力を供給するドライバ部を備えている。
【００２６】
画像処理回路１５は、ＣＣＤ２が出力する信号に基づいて、所定の画像処理を行うことによって画像データを生成するものである。
メモリカードドライブ装置１６は、メモリカード１６ａが着脱可能に装着されるスロット部を備えている。メモリカード１６ａは、例えばフラッシュメモリ等の書込可能な記憶装置を備えている。メモリカードドライブ装置１６は、画像処理回路１５が出力する画像データを、メモリカード１６ａ内の記憶装置に書き込むものである。
【００２７】
ジャイロセンサ１７は、レンズ鏡筒のブレを検出する例えば振動ジャイロ等の角速度センサを備えている。ジャイロセンサ１７の出力は、メインバスＢを介してブレ補正制御部１８に提供される。
ブレ補正制御部１８は、ジャイロセンサ１７が検出するレンズ鏡筒のブレ量に関する情報に基づいて、像ブレを低減する方向に第２レンズ群Ｌ２をシフト変位させる公知のブレ補正制御を行う駆動制御部である。ブレ補正制御部１８は、駆動回路７ａに対してメインバスＢを経由して制御信号を出力する。
また、ブレ補正制御部１８は、位置検出器８が検出する固定枠６に対する振動枠５の位置に関する情報を用いて、フィードバック制御を行う。
【００２８】
ブレ補正（ＶＲ）スイッチ１９は、図示しないユーザが上述したブレ補正制御の使用、不使用を入力する操作部である。
レリーズスイッチ２０は、ユーザがレリーズ操作を行う押しボタンスイッチである。レリーズスイッチ２０は、そのストロークの中間領域まで押圧する半押し操作、及び、ストロークの最後まで押圧する全押し操作の入力が可能となっている。
半押し操作は、公知のＡＦ駆動、ＡＥ制御、ブレ補正制御の開始を行うものである。
また、全押し操作は、レリーズ操作を入力するものである。
【００２９】
電源回路２１は、図示しないバッテリから供給される電力を、カメラ内の各部に供給するものである。
電源スイッチ２２は、ユーザが電源回路２１のオンオフ操作を入力するものである。
ズームスイッチ２３は、ユーザがレンズ鏡筒の焦点距離を変更するズーミング操作を入力するものである。
画像表示部２４は、例えばカメラの撮影者側に向けて配置された液晶表示装置（ＬＣＤ）等のディスプレイを備えている。
ＣＰＵ２５は、上述した各要素を含むカメラ全体を統括的に制御するものである。
【００３０】
メインバスＢは、ＶＣＭ７の駆動回路７ａ、位置検出器８、シャッタ駆動回路１０ｂ、絞り駆動回路１１ｂ、レンズ駆動回路１４ｃ、ジャイロセンサ１７、ブレ補正制御部１８、ＶＲスイッチ１９、レリーズスイッチ２０、電源回路２１、電源スイッチ２２、ズームスイッチ２３、画像表示部２４、ＣＰＵ２５にそれぞれ接続され、これらの各要素間の通信を可能とするものである。
【００３１】
次に、上述したカメラにおける撮影時の動作について説明する。
図８は、カメラのＣＰＵ２５における撮影時の動作を示すフローチャートである。以下、ステップ毎に順を追って説明する。
＜ステップＳ０１：撮影準備状態＞
ＣＰＵ２５は、電源回路２１にカメラ各部への電源供給を行わせ、レリーズスイッチ２０、ズームスイッチ２３等の操作を受け付ける撮影準備状態としてステップＳ０２に進む。
この状態において、画像処理回路１５が出力する画像信号は、画像表示装置２４にいわゆるスルー画表示として表示され、図示しない撮影者はこのスルー画を観察してフレーミング等を行う。このとき、絞り駆動リング１２は、上述したロック位置に配置されている。
【００３２】
＜ステップＳ０２：レリーズ半押し有無判断＞
ＣＰＵ２５は、レリーズスイッチ２０への半押し操作の有無を判断し、半押し操作があった場合はステップＳ０３に進み、なかった場合はステップＳ０１に戻ってそれ以降の処理を繰り返す。
＜ステップＳ０３：ブレ補正オンオフ判断＞
ＣＰＵ２５は、ＶＲスイッチ１９によるブレ補正制御のオンオフを判断し、ブレ補正制御がオンの場合はステップＳ０４に進み、オフの場合はステップＳ０７に進む。
【００３３】
＜ステップＳ０４：絞り駆動リング・開放絞りアンロック位置＞
ＣＰＵ２５は、絞り駆動回路１１ｂに命令を出力し、絞り駆動モータ１１ａによって絞り駆動リング１２を回転させ、上述した解除状態であってかつ絞り１１が開放された状態とし、ステップＳ０５に進む。
＜ステップＳ０５：ブレ補正制御・ＶＣＭ通電開始＞
ＣＰＵ２５は、ブレ補正制御部１８に命令を出力し、ジャイロセンサ１７の出力に応じてＶＣＭ７に通電し、振動枠５を駆動するブレ補正制御を開始してステップＳ０６に進む。
＜ステップＳ０６：レリーズ全押し有無判断＞
ＣＰＵ２５は、レリーズスイッチ２０への全押し操作の有無を判断し、全押し操作があった場合はステップＳ１０に進み、なかった場合はステップＳ０６の処理を繰り返し、レリーズスイッチ２０への半押し操作が解除された場合はステップＳ０１に戻る（図８においては図示しない）。
【００３４】
＜ステップＳ０７：開放絞り・ロック位置保持＞
ＣＰＵ２５は、絞り駆動回路１１ｂに命令を出力し、絞り駆動リングをロック状態の位置に保持させ、ステップＳ０８に進む。このとき、絞り１１は開放状態となっている。
＜ステップＳ０８：レリーズ全押し有無判断＞
ＣＰＵ２５は、レリーズスイッチ２０への全押し操作の有無を判断し、全押し操作があった場合はステップＳ０９に進み、なかった場合はステップＳ０８の処理を繰り返し、レリーズスイッチ２０への半押し操作が解除された場合はステップＳ０１に戻る（図８においては図示しない）。
＜ステップＳ０９：センター保持ＶＣＭ通電開始＞
ＣＰＵ２５は、ブレ補正制御部１８に命令を出力し、ＶＣＭ７に通電を開始して、その駆動力によって振動枠５を第２レンズ群Ｌ２の光軸が他のレンズ群と共通の光軸上に配置された状態（センタリングされた状態）に維持させ、ステップＳ１０に進む。
【００３５】
なお、上述した処理に代えて、ブレ補正オンの際に、レリーズスイッチ２０が半押しされても絞り駆動リング１２をロック状態のままにしておき、レリーズスイッチ２０が全押しされた後に絞り駆動リング１２を解除状態まで回転駆動して上述したブレ補正制御を開始するようにしてもよい。
また、ブレ補正オフの際に、レリーズスイッチ２０の半押し操作に応じて絞り駆動リング１２を解除状態まで回転させ、上述したセンタリング保持処理を開始するようにしてもよい。これにより、レリーズスイッチ２０の全押し操作後に、設定絞り値に駆動されるまでの時間を短くすることができる。
【００３６】
＜ステップＳ１０：絞り駆動・撮影時絞り値＞
ＣＰＵ２５は、絞り駆動回路１１ｂに命令を出力し、絞り駆動モータ１１ａによって絞り駆動リング１２及び絞り１１を駆動させ、絞り１１のＦナンバーが公知のＡＥ制御によって設定された撮影時絞り値となるようにしてステップＳ１１に進む。
＜ステップＳ１１：撮影＞
ＣＰＵ２５は、ＣＣＤ１、シャッタ駆動回路１０ｂ、画像処理回路１５に命令を出力し、被写体像光を所定の露光時間にわたってＣＣＤ１の撮像面に露光させる。そして、画像処理回路１５は、ＣＣＤ１がこの被写体像光に応じて出力した画像信号に基づいて、画像データを生成し、これをメモリカードドライブ装置１６に出力する。メモリカードドライブ装置１６は、画像データをメモリカード１６ａに記録する。
＜ステップＳ１２：開放絞りロック位置＞
ＣＰＵ２５は、絞り駆動回路１１ｂに命令を出力し、絞り駆動モータ１１ａによって絞り駆動リング１２を再びロック状態に復帰させるとともに、ブレ補正制御部１８に命令を出力してＶＣＭ７の通電を停止させ、一連の処理を終了する。
【００３７】
以上説明した本実施例によれば、以下の効果を得ることができる。
（１）振動枠５の外径側の制限突起５ｃと係合し、振動枠５を拘束する制限爪１２ｂを、絞り駆動モータ１１ａによって駆動される絞り駆動リング１２に設けたから、これらの係合部材を駆動する専用のアクチュエータ等を設ける必要がなく、構造が簡素化される。
（２）絞り駆動リング１２の光軸Ａ回りにおける位置を、制限突起５ｃと制限爪１２ｂとが係合したロック状態としておくことによって、ＶＣＭ７の通電を停止しても振動枠５及び第２レンズ群Ｌ２をセンタリングした状態に維持できるから、ＶＣＭ７への通電時間を短くすることができ、省電力化を図ることができる。
（３）制限突起５ｃを振動枠５と一体に形成し、制限爪部１２ｂを絞り駆動リング１２と一体に形成しているから、部品点数の増加が防止され、装置構成をよりいっそう簡素化することができる。
（４）制限突起５ｃの両端部に面取り処理を施しているから、絞り駆動リング１２が解除状態からロック状態へ移行する際に制限爪１２ｂが制限突起５ｃの側部に引掛りにくく、信頼性を向上できる。
【００３８】
（変形例）
本発明は、以上説明した各実施例に限定されることなく、種々の変形や変更が可能であって、それらも本発明の均等の範囲内である。
（１）実施例は、例えば、レンズ非交換式のデジタルスチルカメラに係るものであったが、本発明はこれに限らず、レンズ交換式のカメラや、フィルムカメラ、動画を撮影するムービーカメラ等の各種レンズ鏡筒及びカメラや、携帯電話機等の機器に内蔵されるレンズ鏡筒及びカメラ等にも適用することができる。
（２）レンズ鏡筒及びカメラの構成は、上述した実施例のものに限らず、適宜変更することができる。例えば、移動制限部を、絞り駆動用のアクチュエータではなくシャッタ駆動用のアクチュエータによって駆動してもよい。また、絞り駆動用の部材と一体に形成するものに限らず、別体であってもよい。さらに、実施例において振動枠の制限突起に施したものと同様の面取り処理を、移動制限部（制限爪）側に施してもよい。
【図面の簡単な説明】
【００３９】
【図１】本発明を適用したレンズ鏡筒の断面図である。
【図２】図１のレンズ鏡筒を含むカメラの実施例の構成を示すブロック図である。
【図３】図１のIII−III部矢視断面図であって、振動枠がセンタリングされた状態に拘束されたロック状態を示す図である。
【図４】図３のIV−IV部矢視断面図である。
【図５】図１のレンズ鏡筒において、振動枠のシフト変位が許容された解除状態を示す断面図である。
【図６】図５のVI−VI部矢視断面図である。
【図７】図１のレンズ鏡筒における絞り駆動リングの角度と絞りのＦナンバーとの相関を示すグラフである。
【図８】図２のカメラのＣＰＵにおける撮影時の動作を示すフローチャートである。
【符号の説明】
【００４０】
Ｌ２：第２レンズ群、５：振動枠、５ｃ：制限突起、６：固定枠、７：ＶＣＭ、８：位置検出器、１２：絞り駆動リング、１２ｂ：制限爪
【図１】
0004839887.tif 000002
【図２】
0004839887.tif 000003
【図３】
0004839887.tif 000004
【図４】
0004839887.tif 000005
【図５】
0004839887.tif 000006
【図６】
0004839887.tif 000007
【図７】
0004839887.tif 000008
【図８】
0004839887.tif 000009